(57)【要約】      （修正有）【課題】バルブハウジングを構成する第１ハウジングと第２ハウジングを分解することなく、スプールバルブ、スプリング等を交換することができるバルブリテーナ組み付け構造を提供する。【解決手段】弾性部材により付勢される方向をスプールバルブの軸方向としたとき、軸方向に、バルブリテーナ保持部１２ａと連続形成された、バルブリテーナの組み付け時にバルブリテーナの一時的な挿入孔となるバルブリテーナ挿入部１１ａと、リテーナ穴の第１ハウジング３の一方側の開口部分であって、スプールバルブの軸方向に、バルブリテーナ保持部と連続形成された、バルブリテーナの組み付け時にリテーナを一時的に受け入れるバルブリテーナ挿入受部１１ｂと、リテーナ穴の第１ハウジングの他方側の開口部分の外周に、バルブリテーナ保持部を覆うように設けられたバルブリテーナ受部１０とを備えている。【選択図】図２
2019086126.tif 000002
【特許請求の範囲】
【請求項１】
弾性部材により、一方向に付勢されるスプールバルブと、
前記スプールバルブを収納するバルブボア、および当該バルブボアを通って一方側の面から他方側の面まで貫通するリテーナ穴と、当該リテーナ穴に設けられて前記スプールバルブの抜け止めを行うバルブリテーナとを有する第1ハウジングと、第1ハウジングの一方側の面に取り付けられる第２ハウジングにて構成されるバルブハウジングと、
前記リテーナ穴の、前記第１ハウジングの一方側の開口部分と他方側の開口部分にそれぞれ形成された、前記バルブリテーナを所定の位置に保持するバルブリテーナ保持部と、
前記リテーナ穴の、前記第１ハウジングの他方側の開口部分であって、前記弾性部材により付勢される方向を前記スプールバルブの軸方向としたとき、当該軸方向に、前記バルブリテーナ保持部と連続形成された、前記バルブリテーナの組み付け時に前記バルブリテーナの一時的な挿入孔となるバルブリテーナ挿入部と、
前記リテーナ穴の前記第１ハウジングの一方側の開口部分であって、前記スプールバルブの軸方向に、前記バルブリテーナ保持部と連続形成された、前記バルブリテーナの組み付け時に前記リテーナを一時的に受け入れるバルブリテーナ挿入受部と、
前記リテーナ穴の第１ハウジングの他方側の開口部分の外周に、前記バルブリテーナ保持部を覆うように設けられたバルブリテーナ受部と、
を備える、
ことを特徴とするバルブリテーナ組み付け構造。
【請求項２】
前記バルブリテーナ保持部と連続形成されたバルブリテーナ挿入部は、前記スプールバルブの軸方向に直交する方向の一方側に延設され、前記バルブリテーナ保持部と連続形成されたバルブリテーナ挿入受部は、前記バルブの軸方向に直交する方向の他方側に延設されている、
ことを特徴とするバルブリテーナ組み付け構造。
【発明の詳細な説明】
【技術分野】
【０００１】
本発明は、例えばコントロールバルブのハウジングに設けられたスプールバルブの抜け止めを行うバルブリテーナの組み付け構造に関する。
【背景技術】
【０００２】
特許文献１には、ロアハウジングに挿入されたバルブリテーナをロアハウジングにセパレートプレートを介して、ボルトにて固定されるアッパーハウジングにて抜け止めを行うバルブリテーナの組み付け構造が開示されている。
【先行技術文献】
【特許文献】
【０００３】
【特許文献１】特開２００６−３００１９７号公報
【発明の概要】
【発明が解決しようとする課題】
【０００４】
しかしながら、特許文献１の技術は、スプールバルブ、スプリング等を交換する場合には、バルブリテーナを取り外すために、バルブハウジングを構成するアッパーハウジングとロアハウジングを分解しなければならず、交換作業の工数増大が発生してしまうといった問題がある。
【０００５】
本発明は、このような技術的課題に鑑みてなされたもので、バルブハウジングを構成するアッパーハウジングとロアハウジングを分解することなく、スプールバルブ、スプリング等を交換することができるバルブリテーナ組み付け構造を提供することを目的とする。
【課題を解決するための手段】
【０００６】
本発明のバルブリテーナ組み付け構造では、弾性部材により、一方向に付勢されるスプールバルブと、スプールバルブを収納するバルブボア、およびバルブボアを通って一方側の面から他方側の面まで貫通するリテーナ穴と、リテーナ穴に設けられて前記スプールバルブの抜け止めを行うバルブリテーナとを有する第1ハウジングと、第1ハウジングの一方側の面に取り付けられる第２ハウジングにて構成されるバルブハウジングと、リテーナ穴の、第１ハウジングの一方側の開口部分と他方側の開口部分にそれぞれ形成された、バルブリテーナを所定の位置に保持するバルブリテーナ保持部と、リテーナ穴の、第１ハウジングの他方側の開口部分であって、弾性部材により付勢される方向を前記スプールバルブの軸方向としたとき、軸方向に、バルブリテーナ保持部と連続形成された、バルブリテーナの組み付け時に前記バルブリテーナの一時的な挿入孔となるバルブリテーナ挿入部と、リテーナ穴の第１ハウジングの一方側の開口部分であって、スプールバルブの軸方向に、前記バルブリテーナ保持部と連続形成された、バルブリテーナの組み付け時に前記リテーナを一時的に受け入れるバルブリテーナ挿入受部と、リテーナ穴の第１ハウジングの他方側の開口部分の外周に、前記バルブリテーナ保持部を覆うように設けられたバルブリテーナ受部とを備えている。
【発明の効果】
【０００７】
よって、本発明のバルブリテーナ組み付け構造では、第１ハウジングの第２ハウジングが取り付けられる一方側の面ではなく、第１ハウジングの他方側の面から、バルブリテーナの組み付け、取り外しを行うようにしたので、バルブハウジングを構成する第１ハウジングと第２ハウジングを分解することなく、スプールバルブ、スプリング等を交換することができる。
【図面の簡単な説明】
【０００８】
【図１】実施例１のバルブハウジングの一部断面図である。
【図２】実施例１のバルブリテーナ組み付け構造を示す拡大斜視図である。
【図３】（ａ）は、図２のＡ―Ａ断面図であり、（ｂ）は、図２のＢ−Ｂ断面図である。
【図４】（ａ）は、実施例１のロアハウジングの他方側の面の要部拡大図であり、（ｂ）は、実施例１のロアハウジングの一方側の面の要部拡大図である。
【図５】実施例２のバルブリテーナ組み付け構造を示す拡大斜視図である。
【図６】（ａ）は、実施例２のロアハウジングの他方側の面の要部拡大図であり、（ｂ）は、実施例２のロアハウジングの一方側の面の要部拡大図である。
【発明を実施するための形態】
【０００９】
［実施例１］
以下、本発明の実施例１について図１〜図３を参照しながら説明する。
【００１０】
図１は、本発明の実施例１のバルブハウジングの一部断面図である。
【００１１】
図１に示すように、バルブハウジング１は、第２ハウジングであるアッパーハウジング２と第１ハウジングであるロアハウジング３の一方側の面３ｂとをセパレートプレート４を介して、複数のボルト５にて、固定している。
また、ロアハウジング３には、バルブボア３ｃが設けられており、バルブボア３ｃに図示左方向より、スプールバルブ６、スプリング７、プラグ８の順に挿入し、最後に、アッパーハウジング２の取付面である一方側の面３ｂとは反対側の他方側の面３ａ（図示下方向）より、スプールバルブ６の抜け止めを行うバルブリテーナ本体部９ａと、バルブリテーナ本体部９ａに対し略直交する方向に折れ曲がったバルブリテーナ折り曲げ部９ｂにより構成されるバルブリテーナ９を、バルブボア３ｃを通って他方側の面３ａから一方側の面３ｂまでそれぞれ開口部を有して貫通するリテーナ穴に挿入することで、スプールバルブ６等をロアハウジング３に組み付けている。リテーナ穴の詳細については、後述する。
バルブリテーナ折り曲げ部９ｂは、ロアハウジング３の他方側の面３ａ（図示下側）に形成されたバルブリテーナ受部１０との間に、突出している。詳細は、後述する。
ここで、ａは、バルブリテーナ本体部９ａのスプールバルブ６の軸方向である軸線Ｐ方向の厚みであり、ｂは、バルブリテーナ折り曲げ部９ｂを含む軸線Ｐ方向の厚みである。
【００１２】
図２は、実施例１のバルブリテーナ組み付け構造を示す拡大斜視図である。
【００１３】
バルブボア３ｃに対応するアッパーハウジング２が取り付けられる一方側の面３ｂとは反対側のロアハウジング３の他方側の面３ａには、バルブリテーナ保持部としての開口部分を有するバルブリテーナ保持開口部１２ａとこのバルブリテーナ保持開口部１２ａに軸線Ｐ方向に連続する部分ｇとスプールバルブ６の軸線Ｐと直交する一方側（図示右側）に延設する部分ｈとから構成されるバルブリテーナ挿入部としての開口部分を有し、バルブリテーナ９の組み付け時に一時的な挿入孔となるバルブリテーナ挿入開口部１１ａが形成されている。
また、バルブボア３ｃに対応するロアハウジング３の一方側の面３ｂには、バルブリテーナ保持部としての開口部分を有するバルブリテーナ保持開口部１２ｂと、このバルブリテーナ保持開口部１２ｂに軸線Ｐ方向に連続する部分ｇと、スプールバルブ６の軸線Ｐと直交する他方側（図示左側）に延設する部分ｉとから構成されるバルブリテーナ挿入受部としての開口部分を有し、バルブリテーナ９の組み付け時に一時的に受け入れるバルブリテーナ挿入受開口部１１ｂが形成されている。
前記ロアハウジング３の他方側の面３ａに設けられたバルブリテーナ保持開口部１２ａとバルブリテーナ挿入開口部１１ａ、および前記ロアハウジング３の一方側の面３ｂに設けられたバルブリテーナ保持開口部１２ｂとバルブリテーナ挿入受開口部１１ｂとにより、バルブボア３ｃを通って第1ハウジング３の他方側の面３ａから一方側の面３ｂまで貫通する開口部分を有するリテーナ穴を構成している。
更に、ロアハウジング３の他方側の面３ａには、バルブリテーナ保持開口部１２ａとバルブリテーナ挿入開口部１１ａのバルブリテーナ保持開口部１２ａに軸線Ｐ方向に連続する部分ｇを覆うようにバルブリテーナ受部１０が、設けられている。
バルブリテーナ受部１０は、直線支持壁部１０ａとバルブリテーナ保持開口部１２ａとバルブリテーナ挿入開口部１１ａのバルブリテーナ保持開口部１２ａに軸線Ｐ方向に連続する部分ｇを覆う屋根部１０ｂと、曲面支持壁部１０ｃから構成されている。
図示されたバルブリテーナ９は、軸線Ｐ方向に作用するスプリング７により図示左斜め下方向に付勢されて、ロアハウジング３に形成されたバルブリテーナ保持開口部１２ａ、１２ｂに収容され、保持されている。
バルブリテーナ９の図示下方向への移動は、バルブリテーナ折り曲げ部９ｂとロアハウジング３の他方側の面３ａとの当接により、また、図示上方向への移動は、バルブリテーナ折り曲げ部９ｂと屋根部１０ｂの内面との当接により抑制され、バルブリテーナ９のバルブハウジング１からの脱落を防止している。
また、バルブリテーナ９の軸線Ｐ周りの移動は、軸線Ｐ方向に凹部形状に形成されたバルブリテーナ保持開口部１２ａとバルブリテーナ保持開口部１２ｂに係合することにより抑制され、バルブリテーナ９の回り止めを行っている。
【００１４】
図３の（ａ）は、図２のＡ―Ａ断面図であり、図３の（ｂ）は、図２のＢ−Ｂ断面図である。
【００１５】
図３の（ａ）、（ｂ）により、バルブリテーナ９の組み付けを説明する。
まず、図３の（ａ）に示すように、プラグ８を軸線Ｐ方向に作用するスプリング７の付勢力に対抗して、図示奥方向へ押圧した状態で、屋根部１０ｂに覆われていないバルブリテーナ挿入開口部１１ａの軸線Ｐと直交する一方側（図示右側）に延設された部分ｈに、一点鎖線にて示すように、バルブリテーナ折り曲げ部９ｂを図示上にして、バルブリテーナ９を図示斜め下方向に向けて、挿入する。
そして、破線で示すように、バルブリテーナ９の先端が、バルブリテーナ挿入受開口部１１ｂの軸線Ｐと直交する他方側（図示左側）に延設された部分ｉに到達するまで、挿入する。
この状態で、矢印方向ｃにバルブリテーナ９を回転させて、バルブリテーナ保持開口部１２ａ、１２ｂと軸線Ｐ方向に連続するバルブリテーナ挿入開口部１１ａの部分ｇ、バルブリテーナ挿入受開口部１１ｂの部分ｇの位置に保持し、プラグ８への押圧力を解除する。
これにより、スプリング７の付勢力により、図３の（ｂ）に示すように、バルブリテーナ９は、バルブリテーナ保持開口部１２ａ、１２ｂに収容され、保持されることになる。
よって、バルブリテーナ９は、図示上下方向、回転方向の移動を規制されることになる。
取り外すときには、組み付けの逆の手順を行えばよい。
【００１６】
図４（ａ）は、実施例１のロアハウジングの他方側の面の要部拡大図であり、（ｂ）
は、実施例１のロアハウジングの一方側の面の要部拡大図である。
なお、図４の（ａ）と図４の（ｂ）は、同一方向から見た図である。
【００１７】
まず、図４の（ａ）にて、ロアハウジング３の他方側の面３ａに形成されたバルブリテーナ保持開口部１２ａとバルブリテーナ挿入開口部１１ａについて、説明する。
バルブリテーナ保持開口部１２ａは、軸線Ｐに対し、対称的に形成されている。また、軸線Ｐ方向に対して凹部形状になっている。
その軸線Ｐ方向の幅dは、バルブリテーナ９の厚みａより大きく、厚みｂより小さく形成している。
バルブリテーナ挿入開口部１１ａは、軸線Ｐ方向にバルブリテーナ保持開口部１２ａと軸線Ｐ方向に連続する部分ｇと軸線Ｐと直交する一方側（図示下側）に延設された部分ｈにより、構成されている。前述したように、この延設された部分ｈにバルブリテーナ９を挿入する。
なお、図示していないが、バルブリテーナ受部１０は、バルブリテーナ保持開口部１２ａとバルブリテーナ挿入開口部１１ａのバルブリテーナ保持開口部１２ａに軸線Ｐ方向に連続する部分ｇを覆うように、設けられている。
部分ｇと部分ｈの軸線Ｐ方向の幅ｅは、バルブリテーナ９の厚みａより大きく、厚みｂより小さく形成している。
【００１８】
次に、図４の（ｂ）に示すように、ロアハウジング３の一方側の面３ｂに形成されたバルブリテーナ保持開口部１２ｂとバルブリテーナ挿入受開口部１１ｂについて、説明する。
バルブリテーナ保持開口部１２ｂは、バルブリテーナ保持開口部１２ａに対して、軸線Ｐに対し対向する位置に、同一形状に形成されている。
バルブリテーナ挿入受開口部１１ｂは、バルブリテーナ保持開口部１２ｂと軸線Ｐ方向に連続する部分ｇと軸線Ｐと直交する他方側（図示上側）に延設された部分ｉにより、構成されている。前述したように、挿入時に、この延設された部分ｉにてバルブリテーナ９の先端を受け入れる。
バルブリテーナ挿入開口部１１ａの延設された部分ｈと、バルブリテーナ挿入受開口部１１ｂの延設された部分ｉは、軸線Ｐ周りにずれてはいるが、同一形状である。
なお、同様に、部分ｇと部分ｉの軸線Ｐ方向の幅ｅは、バルブリテーナ９の厚みａより大きく、厚みｂより小さく形成している
【００１９】
次に、作用効果を説明する。
実施例１のバルブリテーナ組み付け構造にあっては、以下に列挙する作用効果を奏する。
【００２０】
(1)ロアハウジング３のアッパーハウジング２とロアハウジング３の取付面側の一方側の面３ｂとこれと反対側の他方側の面３ａに、軸線Ｐに対し対向するように、それぞれ同一形状で形成された開口部分を有するバルブリテーナ保持開口部１２ａ、１２ｂ（リテーナ穴）と、ロアハウジング３の他方側の面３ａに、軸線Ｐ方向にバルブリテーナ保持開口部１２ａと軸線Ｐ方向に重複し連続する部分ｇと軸線Ｐと直交する一方側に延設された部分ｈにより構成された開口部分を有するバルブリテーナ挿入開口部１１ａ（リテーナ穴）と、ロアハウジング３の一方側の面３ｂに、軸線Ｐ方向にバルブリテーナ保持開口部１２ｂと軸線Ｐ方向に重複し連続する部分ｇと軸線Ｐと直交する他方側に延設された部分ｉにより構成された開口部分を有するバルブリテーナ挿入受開口部１１ｂ（リテーナ穴）と、さらに、ロアハウジング３の他方側の面３ａに、バルブリテーナ保持開口部１２ａとバルブリテーナ挿入開口部１１ａのバルブリテーナ保持開口部１２ａに軸線Ｐ方向に連続する部分ｇを覆うように設けられたバルブリテーナ受部１０とを備えることとした。
よって、バルブハウジング１を構成するアッパーハウジング２とロアハウジング３を分解することなく、アッパーハウジング２とロアハウジング３が取り付けられる一方側の面３ｂとは反対側のロアハウジング３の他方側の面３ａの外側から、バルブリテーナ９の組み付けあるいは取り外しを行うので、スプールバルブ６、スプリング７等を交換することができる。
また、バルブハウジング１を分解する必要がないため、交換後の再実験も可能となる。
さらに、アッパーハウジング２とロアハウジング３をボルト５により締付け固定することによるバルブリテーナ９の変形を考慮する必要もない。
【００２１】
（２）バルブリテーナ保持開口部１２ａ、１２ｂは、軸線Ｐ方向に対して凹部形状としている。
よって、スプリング６の軸線Ｐ方向の付勢力により、バルブリテーナ保持開口部１２ａ、１２ｂに収納保持されたバルブリテーナ９は、軸線Ｐの回転方向には拘束されて、回り止めを行うことができる。
【００２２】
（３）組み付け後、バルブリテーナ折り曲げ部９ｂは、ロアハウジング３の他方側の面３ａとバルブリテーナ受部１０の屋根部１０ｂとの間に位置している。
よって、バルブリテーナ９の図２の図示下方向への移動は、バルブリテーナ折り曲げ部９ｂとロアハウジング３の他方側の面３ａとの当接により、また、図２の図示上方向への移動は、バルブリテーナ折り曲げ部９ｂと屋根部１０ｂの内面との当接により抑制され、バルブリテーナ９のバルブハウジング１からの脱落を防止できる。
【００２３】
（４）バルブリテーナ受部１０は、、直線支持壁部１０ａとバルブリテーナ保持開口部１２ａとバルブリテーナ挿入開口部１１ａのバルブリテーナ保持開口部１２ａに軸線Ｐ方向に連続する部分ｇを覆う屋根部１０ｂと、曲面支持壁部１０ｃから構成されている。
よって、バルブリテーナ受部１０の剛性を高くできる。
【００２４】
図５は、実施例２のバルブリテーナ組み付け構造を示す拡大斜視図であり、図６（ａ）
は、実施例２のロアハウジングの他方側の面の要部拡大図であり、（ｂ）は、実施例２の
ロアハウジングの一方側の面の要部拡大図である。
なお、図６の（ａ）と図６の（ｂ）は、同一方向から見た図である。
【００２５】
実施例２のバルブリテーナ受部１００とリテーナ穴を構成するバルブリテーナ挿入部としての開口部分を有するバルブリテーナ挿入開口部１１０ａと、バルブリテーナ挿入受部としての開口部分を有するバルブリテーナ挿入受部１１０ｂの形状を除き、実施例１と同じ構成であるため、実施例１と同じ構成には同一の符号を付して説明を省略し、バルブリテーナ受部１００とバルブリテーナ挿入開口部１１０ａ、バルブリテーナ挿入受部１１０ｂの形状のみ説明を行う。
【００２６】
バルブリテーナ受部１００は、直線支持壁部１００ａとバルブリテーナ保持開口部１２ａのみを覆う屋根部１００ｂとから構成されている。
また、バルブリテーナ挿入開口部１１０ａ、バルブリテーナ挿入受部１１０ｂは、実施例１のような延設された部分を有さず、それぞれバルブリテーナ保持開口部１２ａ、１２ｂと軸線Ｐ方向に連続する部分のみで構成している。
なお、バルブリテーナ挿入開口部１１０ａ、バルブリテーナ挿入受部１１０ｂの軸線Ｐ方向の幅ｆは、バルブリテーナ９の厚みｂより大きく形成している。
【００２７】
次に、バルブリテーナ９の組み付けを説明する。
まず、実施例１と同様に、プラグ８をスプリング７の付勢力に対抗して、軸線Ｐ方向へ押圧した状態で、屋根部１００ｂに覆われていないバルブリテーナ挿入開口部１１０ａに、図６の図示左方向にバルブリテーナ折り曲げ部９ｂを向けて、バルブリテーナ９を挿入する。
そして、バルブリテーナ９の先端が、バルブリテーナ挿入受開口部１１０ｂに到達するまで、挿入する。このとき、バルブリテーナ挿入受部１１０ｂの軸線Ｐ方向の幅ｆは、バルブリテーナ９の厚みｂより大きく形成しているので、バルブリテーナ折り曲げ部９ｂは、屋根部１００ｂと干渉することなく、バルブリテーナ受部１００の屋根部１００ｂとは、軸線Ｐ方向にてラップしない状態となる。
この状態で、プラグ８への押圧力を解除すると、スプリング７の付勢力により、図５に示すように、バルブリテーナ９は、バルブリテーナ保持開口部１２ａ、１２ｂに収容され、保持されることになる。
よって、バルブリテーナ９は、実施例１と同様に、図示上下方向、回転方向の移動を規制されることになる。
取り外すときには、組み付けの逆の手順を行えばよい。
【００２８】
次に、作用効果を説明する。
実施例２のバルブリテーナ組み付け構造にあっては、実施例１の効果に加え、以下に列挙する作用効果を奏する。
【００２９】
（１）リテーナ穴を構成するバルブリテーナ挿入開口部１１０ａ、バルブリテーナ挿入受開口部１１０ｂを小さくすることができる。
よって、ロアハウジング３の強度をより高く保つことができる。
【００３０】
［他の実施例］
以上、本発明を実施するための形態を実施例に基づいて説明したが、本発明の具体的な構成は実施例に示した構成に限定されるものではなく、発明の要旨を逸脱しない範囲の設計変更等があっても本発明に含まれる。
【符号の説明】
【００３１】
１        バルブハウジング
２        アッパーハウジング(第２ハウジング)
３        ロアハウジング(第１ハウジング)
３ａ      他方側の面
３ｂ      一方側の面（アッパーハウジング取付面）
３ｃ      バルブボア
６        スプールバルブ
７        スプリング（弾性部材）
９        バルブリテーナ
９ａ      バルブリテーナ本体部
９ｂ      バルブリテーナ折り曲げ部
１０      バルブリテーナ受部
１０ａ    直線支持壁部
１０ｂ    屋根部
１０ｃ    曲面支持壁部
１００    バルブリテーナ受部
１００ａ  直線支持壁部
１００ｂ  屋根部
１１ａ    バルブリテーナ挿入開口部（バルブリテーナ挿入部、リテーナ穴）
１１ｂ    バルブリテーナ挿入受開口部（バルブリテーナ挿入受部、リテーナ穴）
１１０ａ  バルブリテーナ挿入開口部（バルブリテーナ挿入部、リテーナ穴）
１１０ｂ  バルブリテーナ挿入受開口部（バルブリテーナ挿入受部、リテーナ穴）
１２ａ    バルブリテーナ保持開口部（バルブリテーナ保持部、リテーナ穴）
１２ｂ    バルブリテーナ保持開口部（バルブリテーナ保持部、リテーナ穴）
ａ        バルブリテーナ本体部の厚さ
ｂ        バルブリテーナ折り曲げ部を含む厚さ
ｇ        バルブリテーナ挿入開口部の連続する部分
ｈ        バルブリテーナ挿入開口部の一方側に延設する部分
ｉ        バルブリテーナ挿入開口部の他方側に延設する部分
【図１】
2019086126.tif 000003
【図２】
2019086126.tif 000004
【図３】
2019086126.tif 000005
【図４】
2019086126.tif 000006
【図５】
2019086126.tif 000007
【図６】
2019086126.tif 000008